(57)【要約】【課題】様々な形状のマイクロホンの校正を可能とする。【解決手段】１／４インチマイクロホン３を第２窪部５４に嵌挿した共通ユニット５の下部円筒部５２を、音響校正器１の１／２インチマイクロホン用のソケット１１に装着すると、校正用音は、ソケット１１の第１窪部１１１の下面の孔、共通ユニット５の第２窪部５４の下面の孔５６を通って、１／４インチマイクロホン３に収音される(ａ）。個別ユニット６の上底部６２に小型マイクロホン４を嵌め込み、個別ユニット６の内側に共通ユニット５の上部円筒部５１を嵌め込み（ｂ１-ｂ３）、共通ユニット５の下部円筒部５２を、音響校正器１のソケット１１に装着すると、校正用音は、内部空間１２、ソケット１１の第１窪部１１１の下面の孔、共通ユニット５の第２窪部５４の下面の孔５６、第２窪部５４を通って、小型マイクロホン４で収音される（ｃ）。【選択図】図６
2020020757.tif 000002
【特許請求の範囲】
【請求項１】
第１の口径のマイクロホンの先端が嵌挿される窪みを有するソケットを備え、前記ソケットの窪みに連通する内部空間に校正用の音を放射する音響校正器に、第１面に設けられた収音孔から音をピックアップするマイク部と、当該マイク部に連結されたケーブルとを備えたマイクロホンである対象マイクロホンを装着するためのアダプタであって、
第１ユニットと、当該第１ユニットと分離可能に連結される第２ユニットとを備え、
前記第１ユニットは、
当該第１ユニットの下部を形成する、前記音響校正器の前記ソケットに嵌挿可能な前記第１の口径の円筒部と、
当該第１ユニットの上面と前記円筒部の下面に開口を有する、当該第１ユニットを貫通する孔である貫通孔とを有し、
前記第２ユニットは、
支持ブロックと、
前記第１ユニットの上面と前記支持ブロックの下面を当接させた状態で、前記第１ユニットと嵌合する嵌合部とを有し、
前記支持ブロックの下面には、前記マイク部を下方から前記第１面を下方に向けて嵌め込むことのできる上方に窪んだ窪みである凹部と、当該凹部から前記支持ブロックの下面の端まで延びた、前記ケーブルを通すことのできる溝であるケーブル溝とが形成されており、
前記嵌合部は、前記ケーブル溝を通って前記支持ブロックの下面の端まで延びた前記ケーブルを、前記第２ユニットの外側に引き出すことを妨げない形状を有し、
前記凹部は、第１ユニットと前記嵌合部が嵌合し、前記第１ユニットの上面と前記支持ブロックの下面が当接している状態において、当該凹部に嵌め込まれた前記マイク部の前記収音孔の位置が、前記第１ユニットの上面の前記貫通孔の開口内の位置となるように設けられていることを特徴とするアダプタ。
【請求項２】
第１の口径のマイクロホンの先端が嵌挿される窪みを有するソケットを備え、前記ソケットの窪みに連通する内部空間に校正用の音を放射する音響校正器に、第１面に設けられた収音孔から音をピックアップするマイク部と、当該マイク部に連結されたケーブルとを備えたマイクロホンである対象マイクロホンを装着するためのアダプタであって、
第１ユニットと、当該第１ユニットと分離可能に連結される第２ユニットとを備え、
前記第１ユニットは、
当該第１ユニットの下部を形成する、前記音響校正器の前記ソケットに嵌挿可能な前記第１の口径の円筒部と、
当該第１ユニットの上面と前記円筒部の下面に開口を有する、当該第１ユニットを貫通する孔である貫通孔とを有し、
前記第２ユニットは、
支持ブロックと、
前記第１ユニットの上面と前記支持ブロックの下面を当接させた状態で、前記第１ユニットと嵌合する嵌合部と、
連絡路とを有し、
前記支持ブロックの下面には、上方に窪んだ穴と、前記マイク部を下方から前記第１面を前記穴の方向に向けて嵌め込むことのできる上方に窪んだ窪みである凹部と、当該凹部から前記支持ブロックの下面の端まで延びた、前記ケーブルを通すことのできる溝であるケーブル溝とが形成されており、
前記連絡路は、前記穴から前記凹部まで延びる孔または前記支持ブロックの下面に形成された溝であり、前記凹部に前記マイク部が前記第１面を前記穴の方向に向けて嵌め込まれたときに、当該マイク部の前記第１面の前記収音孔と前記穴とは、前記連絡路を介して連通し、
前記嵌合部は、前記ケーブル溝を通って前記支持ブロックの下面の端まで延びた前記ケーブルを、前記第２ユニットの外側に引き出すことを妨げない形状を有し、
前記穴は、第１ユニットと前記嵌合部が嵌合し、前記第１ユニットの上面と前記支持ブロックの下面が当接している状態において、前記穴の位置が、前記第１ユニットの上面の前記貫通孔の開口内の位置となるように設けられていることを特徴とするアダプタ。
【請求項３】
請求項１または２記載のアダプタであって、
前記第１ユニットの貫通孔は、上方より挿入された、前記第１の口径と異なる第２の口径のマイクロホンの先端と嵌合する形状を有していることを特徴とするアダプタ。
【請求項４】
請求項３記載のアダプタであって、
前記第１ユニットの貫通孔は、当該第１ユニットの上面から下方に窪んだ、前記第２の口径のマイクロホンの先端が嵌挿される窪みと、当該窪みの下面と前記円筒部の下面まで貫通する孔より形成されていることを特徴とするアダプタ。
【請求項５】
請求項４記載のアダプタであって、
前記第１ユニットの貫通孔を形成する窪みの下部部分の径の大きさは第２の口径のマイクロホンの先端が嵌挿される大きさであり、当該貫通孔の前記第１ユニットの上面の開口の径の大きさは前記下部部分の径の大きさよりも大きいことを特徴とするアダプタ。
【請求項６】
請求項３、４または５記載のアダプタであって、
前記第１の口径のマイクロホンは口径が１／２インチのマイクロホンであり、前記第２の口径のマイクロホンは口径が１／４インチのマイクロホンであることを特徴とするアダプタ。
【請求項７】
請求項１、２、３、４、５または６記載のアダプタであって、
前記第１ユニットの上面には、環状のシール部材が設けられており、
当該シール部材は、第１ユニットと前記嵌合部が嵌合し、前記第１ユニットの上面と前記支持ブロックの下面が当接している状態において、上下方向に見て、当該シール部材の内側に、前記マイク部の前記収音孔が位置するように配置されており、当該状態において、当該シール部材は、前記第１ユニットの上面と前記支持ブロックの下面の間を封止することを特徴とするアダプタ。
【請求項８】
請求項１、２、３、４、５、６または７記載のアダプタであって、
前記支持ブロックの下面には、前記凹部と前記ケーブル溝との組が複数設けられていることとを特徴とするアダプタ。
【請求項９】
請求項１、２、３、４、５、６、７または８記載のアダプタと、前記音響校正器とを有することを特徴とする音響校正システム。
【発明の詳細な説明】
【技術分野】
【０００１】
本発明は、音響校正器を用いてマイクロホンを校正する技術に関するものである。
【背景技術】
【０００２】
マイクロホンを校正する音響校正器としては、円筒形状の先端部に収音部を備えたマイクロホンを校正する音響校正器が知られている（たとえば、特許文献１、２）。
この音響校正器は、マイクロホンの円筒形状の先端を嵌挿するソケットを備えており、ソケットの中空部に連通している内部空間に校正用の音を放射することで、ソケットに嵌挿されたマイクロホンに校正用の音を収音させる。
【０００３】
また、音響校正器のソケットの口径変換用のアダプタを用いて、円筒形状の先端部の直径が音響校正器ソケットの口径と整合しないマイクロホンの校正も行えるようにしている。
【０００４】
このアダプタには、下部に設けた音響校正器のソケットの口径と整合する直径を有する円筒形状の挿入部と、上部に挿入部と同軸状に設けた、音響校正器のソケットの口径とは異なる口径のソケット部とが、挿入部の下端に設けた開口とソケット部の中空部が連通するように設けられており、アダプタの挿入部を音響校正器のソケットに嵌挿し、アダプタのソケット部にマイクロホンの先端部を嵌挿することで、音響校正器が内部空間に放射した校正用の音がアダプタを通ってマイクロホンに収音される。
【先行技術文献】
【特許文献】
【０００５】
【特許文献１】特開２００１-３０４９５１号公報
【特許文献２】特開２００６-３０８５６７号公報
【発明の概要】
【発明が解決しようとする課題】
【０００６】
上述したアダプタを用いる技術によれば、音響校正器のソケットの口径と整合しない直径の円筒形状の先端部を持つマイクロホンを、アダプタを用いて音響校正器に装着して、当該マイクロホンの校正を行うことができる。
【０００７】
しかし、このアダプタは、音響校正器のソケットの口径の変換のみを行うものであるため、このアダプタによっては、収音部の周囲にソケットに安定的に嵌挿できる構造がないマイクロホンを、マイクロホンの円筒形状の先端を嵌挿するソケットを備えた音響校正器に装着して、校正を行うことはできない。
【０００８】
そこで、本発明は、マイクロホンの円筒形状の先端を嵌挿するソケットを備えた音響校正器を用いた、様々な形状のマイクロホンの校正を可能とするアダプタを提供することを課題とする。
【課題を解決するための手段】
【０００９】
前記課題解決のために、本発明は、第１の口径のマイクロホンの先端が嵌挿される窪みを有するソケットを備え、前記ソケットの窪みに連通する内部空間に校正用の音を放射する音響校正器に、第１面に設けられた収音孔から音をピックアップするマイク部と、当該マイク部に連結されたケーブルとを備えたマイクロホンである対象マイクロホンを装着するためのアダプタを、第１ユニットと、当該第１ユニットと分離可能に連結される第２ユニットとを含めて構成したものである。ここで、前記第１ユニットは、当該第１ユニットの下部を形成する、前記音響校正器の前記ソケットに嵌挿可能な前記第１の口径の円筒部と、当該第１ユニットの上面と前記円筒部の下面に開口する、当該第１ユニットを貫通する孔である貫通孔とを有する。また、前記第２ユニットは、支持ブロックと、前記第１ユニットの上面と前記支持ブロックの下面を当接させた状態で、前記第１ユニットと嵌合する嵌合部とを有する。そして、前記支持ブロックの下面には、前記マイク部を下方から前記第１面を下方に向けて嵌め込むことのできる上方に窪んだ窪みである凹部と、当該凹部から前記支持ブロックの下面の端まで延びた、前記ケーブルを通すことのできる溝であるケーブル溝とが形成されている。また、前記嵌合部は、前記ケーブル溝を通って前記支持ブロックの下面の端まで延びた前記ケーブルを、前記第２ユニットの外側に引き出すことを妨げない形状を有する。また、前記凹部は、第１ユニットと前記嵌合部が嵌合し、前記第１ユニットの上面と前記支持ブロックの下面が当接している状態において、当該凹部に嵌め込まれた前記マイク部の前記収音孔の位置が、前記第１ユニットの上面の前記貫通孔の開口内の位置となるように設けられている。
【００１０】
また、前記課題解決のために、本発明は、第１の口径のマイクロホンの先端が嵌挿される窪みを有するソケットを備え、前記ソケットの窪みに連通する内部空間に校正用の音を放射する音響校正器に、第１面に設けられた収音孔から音をピックアップするマイク部と、当該マイク部に連結されたケーブルとを備えたマイクロホンである対象マイクロホンを装着するためのアダプタを、第１ユニットと、当該第１ユニットと分離可能に連結される第２ユニットとを含めて構成したものである。ここで、前記第１ユニットは、当該第１ユニットの下部を形成する、前記音響校正器の前記ソケットに嵌挿可能な前記第１の口径の円筒部と、当該第１ユニットの上面と前記円筒部の下面に開口する、当該第１ユニットを貫通する孔である貫通孔とを有する。また、前記第２ユニットは、支持ブロックと、前記第１ユニットの上面と前記支持ブロックの下面を当接させた状態で、前記第１ユニットと嵌合する嵌合部と、連絡路とを有する。また、前記支持ブロックの下面には、上方に窪んだ穴と、前記マイク部を下方から前記第１面を前記穴の方向に向けて嵌め込むことのできる上方に窪んだ窪みである凹部と、当該凹部から前記支持ブロックの下面の端まで延びた、前記ケーブルを通すことのできる溝であるケーブル溝とが形成されている。また、前記連絡路は、前記穴から前記凹部まで延びる孔または前記支持ブロックの下面に形成された溝であり、前記凹部に前記マイク部が前記第１面を前記穴の方向に向けて嵌め込まれたときに、当該マイク部の前記第１面の前記収音孔と前記穴とは、前記連絡路を介して連通する。また、前記嵌合部は、前記ケーブル溝を通って前記支持ブロックの下面の端まで延びた前記ケーブルを、前記第２ユニットの外側に引き出すことを妨げない形状を有する。そして、前記穴は、第１ユニットと前記嵌合部が嵌合し、前記第１ユニットの上面と前記支持ブロックの下面が当接している状態において、前記穴の位置が、前記第１ユニットの上面の前記貫通孔の開口内の位置となるように設けられている。
【００１１】
以上のようなアダプタによれば、第１ユニットと第２ユニットで挟持した形態でマイクロホンを第１の口径のマイクロホン用の音響校正器に装着できるので、非円筒形状のマイクロホンや、収音孔の周囲にソケットに安定的に嵌挿できる構造がないマイクロホンについても、第１の口径のマイクロホン用の音響校正器に装着して、その校正を行うことができる。
【００１２】
ここで、前記第１ユニットの貫通孔は、上方より挿入された、前記第１の口径と異なる第２の口径のマイクロホンの先端と嵌合する形状を備えたものでもよい。
【００１３】
また、この場合には、前記第１ユニットの貫通孔は、当該第１ユニットの上面から下方に窪んだ、前記第２の口径のマイクロホンの先端が嵌挿される窪みと、当該窪みの下面から前記円筒部の下面まで貫通する孔で形成してもよい。また、前記第１ユニットの貫通孔を形成する窪みの下部部分の径の大きさは第２の口径のマイクロホンの先端が嵌挿される大きさとし、当該貫通孔の前記第１ユニットの上面の開口の径の大きさは前記下部部分の径の大きさよりも大きくしてよい。
【００１４】
この場合には、前記第１の口径のマイクロホンは口径が１／２インチのマイクロホンとし、前記第２の口径のマイクロホンは口径が１／４インチのマイクロホンとしてもよい。
【００１５】
このようにすることで、第１の口径のマイクロホン用の音響校正器を用いて、第１の口径と異なる第２の口径のマイクロホンの校正も行うことができる。
【００１６】
また、前記第１ユニットの上面に、環状のシール部材を設けてもよい。ただし、当該シール部材は、第１ユニットと前記嵌合部が嵌合し、前記第１ユニットの上面と前記支持ブロックの下面が当接している状態において、上下方向に見て、当該シール部材の内側に、前記マイク部の前記収音孔が位置するように配置されており、当該状態において、当該シール部材は、前記第１ユニットの上面と前記支持ブロックの下面の間を封止する。
【００１７】
また、アダプタの前記支持ブロックの下面に、前記凹部と前記ケーブル溝との組が複数設けてもよい。
本発明は、併せて、アダプタと、前記音響校正器とを有する音響校正システムも提供する。
【発明の効果】
【００１８】
以上のように、本発明に係るアダプタによれば、マイクロホンの円筒形状の先端を嵌挿するソケットを備えた音響校正器を用いた、様々なマイクロホンの校正が可能となる。
【図面の簡単な説明】
【００１９】
【図１】本発明の実施形態に係る音響校正器を示す図である。
【図２】本発明の実施形態に係る１／２インチマイクロホンと、その校正のようすを示す図である。
【図３】１／４インチマイクロホンと本発明の実施形態に係る小型マイクロホンを示す図である。
【図４】本発明の実施形態に係る共通ユニットを示す図である。
【図５】本発明の実施形態に係る個別ユニットを示す図である。
【図６】本発明の実施形態に係る１／４インチマイクロホンと小型マイクロホンの校正のようすを示す図である。
【図７】本発明の実施形態に係るアダプタの他の例を示す図である。
【図８】本発明の実施形態に係る個別ユニットの他の例を示す図である。
【発明を実施するための形態】
【００２０】
以下、本発明の実施形態について説明する。
図１ａに、本実施形態の音響校正器を示す。
ここで、図１ａ１は、音響校正器１を斜視したようすを表し、図１ａ２は音響校正器１の上面を表し、図１ａ３は音響校正器１の前面を表し、図１ａ４は音響校正器１の下面を表し、図１ａ５は音響校正器１の右側面を表す。なお、音響校正器１の後面は前面と同様に、音響校正器１の左側面は右側面と同様に表れる。
【００２１】
図示するように、音響校正器１は、おおよそ直方体の形状を有し、音響校正器１の上面に円形の開口を有するソケット１１が設けられている。
図１ｂに示す、音響校正器１上部断面図のように、ソケット１１は、口径１／２インチの円筒が嵌まり込む形状の第１窪部１１１を形成し、第１のＯリング１４が第１窪部１１１の内側に配置されている。また、第１窪部１１１の下面の中央部分に、音響校正器１の内部空間１２に連通する、第１窪部１１１よりも口径の小さい孔が設けられている。そして、内部空間１２には、その下方に配置したスピーカ１３によって校正用の音が放射される。
【００２２】
このような音響校正器１は、図２ａに示すような先端部の口径が１／２インチの円筒形状を有し、先端部で音を取り込んで収音を行うマイクロホンである１／２インチマイクロホン２の校正を行うことができる。
【００２３】
１／２インチマイクロホン２の校正は、図２ｂに示すように、１／２インチマイクロホン２の先端を、音響校正器１のソケット１１の第１窪部１１１に嵌挿し、１／２インチマイクロホン２を音響校正器１に装着した状態で行う。
【００２４】
図２ｂに示す状態で、１／２インチマイクロホン２と第１窪部１１１の間の隙間は第１のＯリング１４で密閉され、音響校正器１のスピーカ１３から音響校正器１の内部空間１２に放射された校正用の音は、内部空間１２、ソケット１１の第１窪部１１１の下面の孔を通って、１／２インチマイクロホン２の前端部に到達し収音される。
【００２５】
以下、この音響校正器１に、音響校正器１のソケット１１と整合しないマイクロホンである１／４インチマイクロホンと小型マイクロホンを装着するために用いるアダプタについて説明する。
【００２６】
ここで、図３ａに示すように、１／４インチマイクロホン３は、先端部の口径が１／４インチの円筒形状を有すマイクロホンであり、先端部で音を取り込んで収音を行う。
【００２７】
次に、図３ｂに、小型マイクロホン４を示す。
図３ｂ１は小型マイクロホン４の前面を表し、図３ｂ２は小型マイクロホン４の上面を表し、図３ｂ３は小型マイクロホン４の側面を表し、図３ｂ４は小型マイクロホン４の下面を表している。
【００２８】
図示するように、小型マイクロホン４は、直方体のマイク部４１の後部にケーブル４２を連結した形状である。
直方体のマイク部４１の下面の、左右方向について中央、前後方向について、やや前方よりの位置には収音孔４１１が設けられており、小型マイクロホン４は、収音孔４１１から取り込んだ音を収音する。
【００２９】
なお、本実施形態では、小型マイクロホン４のマイク部４１のサイズは、たとえば、上下方向のサイズHは3mmから4mm程度、左右方向のサイズWは4mmから5mm程度、前後方向のサイズLは7mm程度とする。
【００３０】
次に、本実施形態のアダプタは、１／４インチマイクロホン３と小型マイクロホン４の音響校正器１への装着に共用される共通ユニットと、小型マイクロホン４の音響校正器１への装着のみ用いられる個別ユニットよりなる。
【００３１】
まず、共通ユニットについて説明する。
図４に、共通ユニットの構成を示す。
図４ａは共通ユニット５の上面を表し、図４ｂは共通ユニット５の側面を表し、図４ｃは共通ユニット５の下面を表す。また、図４ｄは、図５ａの断面線A-Aによる共通ユニット５の断面を表し、図４ｅは、図４ａの断面線B-Bによる共通ユニット５の断面を表す。また、図４ｆは共通ユニット５を斜め上方から見たようすを表し、図４ｇは共通ユニット５を斜め下方から見たようすを表す。
【００３２】
図示するように、共通ユニット５は、共通ユニット５の上方部分を構成する円筒形状の上部円筒部５１と、共通ユニット５の下方部分を構成する円筒形状の下部円筒部５２と、上部円筒部５１と下部円筒部５２との間に設けた、側方にフランジ状に突出した鍔部５３を備えている。
【００３３】
下部円筒部５２の口径は、１／２インチマイクロホン２の前端部の口径と同じく１／２インチであり、上部円筒部５１の口径は、下部円筒部５２よりも大きく設定されている。
【００３４】
共通ユニット５の中央部には、上面から下方に窪んだ、口径１／４インチの円筒が嵌まり込む形状の第２窪部５４が形成されており、第２窪部５４の内側には第２のＯリング５５が配置されている。
【００３５】
また、第２窪部５４の下面の中央部分には、第２窪部５４よりも口径の小さい、下方に連通する孔５６が設けられている。
また、上部円筒部５１には、外方向に付勢され、外力が無い状態で外周面から突出し、外力に応じて外周面方向に引っ込むボールを備えたボールプランジャ５７が、等角度間隔で４箇所、上部円筒部５１の上下方向についておよそ中央の位置に設けられている。
また、上部円筒部５１の上面上には、第２窪部５４の開口を取り囲むように配置された第３のＯリング５８が部分的に上部円筒部５１の上面に埋没した形態で固定されている。
【００３６】
次に、個別ユニットについて説明する。
図５に、個別ユニットの構成を示す。
図５ａは個別ユニットの上面を表し、図５ｂは個別ユニットの側面を表し、図５ｃは個別ユニットの下面を表す。また、図５ｄは、図５ａの断面線A-Aによる個別ユニットの断面を表し、図５ｅは、図５ａの断面線B-Bによる個別ユニットの断面を表す。また、図５ｆは個別ユニットを斜め上方から見たようすを表し、図５ｇは個別ユニットを斜め下方から見たようすを表す。
【００３７】
図示するように、個別ユニット６は、全体として下面が開き上面が閉じた中空円筒形状を有し、下面が開き上面が閉じた中空円筒形状の側面を形成する側部６１と、下面が開き上面が閉じた中空円筒形状の上面を形成する上底部６２とよりなる。
【００３８】
側部６１の内径は、側部６１の内側に共通ユニット５の上部円筒部５１が嵌まり込む大きさに設定されている。また、側部６１の内周面には、上下方向についておよそ中央の位置に、全周に渡って外周方向に凹んだ溝６３が設けられている。
【００３９】
そして、図５ｈに示すように、個別ユニット６の側部６１の内側に、共通ユニット５の上部円筒部５１を下方より挿入して嵌め込むと、共通ユニット５の上部円筒部５１のボールプランジャ５７のボールが、個別ユニット６の側部６１の内周面の溝６３に嵌まり込み、共通ユニット５と個別ユニット６が連結されるようになっている。
【００４０】
次に、個別ユニット６の上底部６２の下面には、図５ｊに示す側部６１を透視して個別ユニット６を下方斜めより見た図のように、小型マイクロホン４のマイク部４１を下面を下方に向けて嵌め込むための上方に窪んだ凹部６４と、凹部６４に嵌め込んだ小型マイクロホン４のマイク部４１に連結されているケーブル４２を収めるための、凹部６４から上底部６２の外周側端まで延びた、上方に窪んだケーブル用凹部６５が二組設けられている。
【００４１】
そして、側部６１には、ケーブル用凹部６５から側部６１の外側にケーブル４２を引き出すための二つの切欠６６が設けられている。
ここで、個別ユニット６の上底部６２の下面の凹部６４に下面を下方に向けて小型マイクロホン４のマイク部４１を嵌め込み、個別ユニット６の側部６１の内側に共通ユニット５の上部円筒部５１を嵌め込んだ状態のアダプタの断面を図５ｋに示す。また、当該状態における、共通ユニット５の第２窪部５４、第３のＯリング５８、小型マイクロホン４の、上方より見た配置を図５ｍに示す。
【００４２】
図示するように、個別ユニット６の上底部６２の下面の凹部６４は、個別ユニット６の側部６１の内側に共通ユニット５の上部円筒部５１を嵌め込んだ状態で、凹部６４に下面を下方に向けて嵌め込んだ小型マイクロホン４のマイク部４１の収音孔４１１が、共通ユニット５の第２窪部５４の内側となるように配置されている。この状態で、共通ユニット５の上部円筒部５１の上面の第３のＯリング５８が、小型マイクロホン４のマイク部４１の収音孔４１１より外周側の位置に当接して、収音孔４１１を第３のＯリング５８よりも外周側の部分に対して封止するように、第３のＯリング５８は配置されている。
【００４３】
以下、このような共通ユニット５と個別ユニット６を用いた１／４インチマイクロホン３と小型マイクロホン４の校正について説明する。
まず、１／４インチマイクロホン３の校正を行う場合、図６ａに示すように、共通ユニット５の下部円筒部５２を、音響校正器１のソケット１１の第１窪部１１１に嵌挿して装着する。また、１／４インチマイクロホン３の先端を、共通ユニット５の第２窪部５４に嵌挿して装着する。
【００４４】
この状態で、共通ユニット５の下部円筒部５２と第１窪部１１１の間の隙間は第１のＯリング１４で密閉され、１／４インチマイクロホン３と第２窪部５４の間の隙間は第２のＯリング５５で密閉される。
【００４５】
この状態で音響校正器１のスピーカ１３から音響校正器１の内部空間１２に校正用の音を放射すると、音は、内部空間１２、ソケット１１の第１窪部１１１の下面の孔、共通ユニット５の第２窪部５４の下面の孔５６を通って、１／４インチマイクロホン３の前端部に到達し収音される。
【００４６】
次に、小型マイクロホン４の校正を行う場合、図６ｂ１に示すように、個別ユニット６の上底部６２の下面の２つの凹部６４のそれぞれに、小型マイクロホン４のマイク部４１を下面を下方に向けて嵌め込み、小型マイクロホン４のケーブル４２を、ケーブル用凹部６５、切欠６６を通して外部に引き出す。
【００４７】
そして、図６ｂ２に示すように、個別ユニット６の側部６１の内側に共通ユニット５の上部円筒部５１を嵌め込み、共通ユニット５と個別ユニット６を図６ｂ３に示すように一体化する。
【００４８】
そして、図６ｃに示すように、個別ユニット６と一体化した共通ユニット５の下部円筒部５２を、音響校正器１のソケット１１の第１窪部１１１に嵌挿して装着する。
この状態で音響校正器１のスピーカ１３から音響校正器１の内部空間１２に校正用の音を放射すると、音は、内部空間１２、ソケット１１の第１窪部１１１の下面の孔、共通ユニット５の第２窪部５４の下面の孔５６、第２窪部５４を通って、小型マイクロホン４の収音孔４１１に到達し収音される。
【００４９】
以上、本発明の実施形態について説明した。
以上の実施形態では、個別ユニット６を、２つの小型マイクロホン４を収容し、共通ユニット５を介して音響校正器１に装着するものとしたが、個別ユニット６は、一つの小型マイクロホン４のみを収容する構成としてもよい。
【００５０】
逆に、共通ユニット５と個別ユニット６を、より多数の小型マイクロホン４を収容して音響校正器１に装着できる構成にしてもよい。
この場合には、たとえば、図７ａに示す共通ユニット５の断面図のように共通ユニット５の第２窪部５４の下部の形状を口径１／４インチの円筒が嵌まり込む形状としたまま、上部の形状を上方に向かって拡がっていく形状として、上部円筒部５１の上面に現れる第２窪部５４の開口のサイズを大きくする。そして、図７ｂに個別ユニット６の下面を示すように個別ユニット６に凹部６４とケーブル用凹部６５と切欠６６のセットを、第２窪部５４の軸を中心として放射状にｎ個（図では８個）設ける。ただし、個別ユニット６の上底部６２の下面の凹部６４は、個別ユニット６の側部６１の内側に共通ユニット５の上部円筒部５１を嵌め込んだ状態で、各凹部６４に下面を下方に向けて嵌め込んだ小型マイクロホン４のマイク部４１の収音孔４１１が、共通ユニット５の第２窪部５４の内側となるように配置する。
【００５１】
この状態で、図７ｃに示すように、共通ユニット５の下部円筒部５２を、音響校正器１のソケット１１の第１窪部１１１に嵌挿して装着し、１／４インチマイクロホン３の先端を、共通ユニット５の第２窪部５４に嵌挿して装着することで、１／４インチマイクロホン３を音響校正器１に装着して校正を行える。
【００５２】
また、図７ｄ１に示すように、個別ユニット６の上底部６２の下面のｎ個の凹部６４のそれぞれに、小型マイクロホン４のマイク部４１を下面を下方に向けて嵌め込み、図７ｄ２に示すように、個別ユニット６の側部６１の内側に共通ユニット５の上部円筒部５１を嵌め込み、共通ユニット５と個別ユニット６を図７ｄ３に示すように一体化した上で、共通ユニット５の下部円筒部５２を、図７ｅに示すように、音響校正器１のソケット１１の第１窪部１１１に嵌挿して装着することで、小型マイクロホン音響校正器に装着して校正を行える。
【００５３】
また、以上の実施形態における個別ユニット６は、図８ａ１からａ５に示すように構成してもよい。
ここで、図８ａ１は個別ユニット６の上面を表し、図８ａ２は個別ユニット６の側面を表し、図８ａ３は個別ユニット６の下面を表す。また、図８ａ４は、図８ａ３の断面線A-Aによる個別ユニット６の断面を表し、図８ａ５は、図８ａ３の断面線B-Bによる個別ユニット６の断面を表す。
【００５４】
図示するように、この個別ユニット６の上底部６２の下面には、小型マイクロホン４のマイク部４１とケーブル４２を下面を個別ユニット６の中心方向に向けて嵌め込むための上方に窪んだ溝であるマイク用溝９１が４個設けられている。また、個別ユニット６の側部６１には、各マイク用溝９１に嵌め込んだ小型マイクロホン４のケーブル４２を側部６１の外側に引き出す切欠６６が４個設けられている。
【００５５】
また、個別ユニット６の上底部６２の中央には、上方に凹んだ穴である中央穴９２と、４つのマイク用溝９１のそれぞれに対して設けられた連絡孔９３が設けられている。図８ｂに、マイク用溝９１、中央穴９２、連絡孔９３の上下方向に見た位置関係を示す。連絡孔９３は、マイク用溝９１と中央穴９２を連絡する孔であり、連絡孔９３のマイク用溝９１側の開口は、マイク用溝９１に小型マイクロホン４の下面を中央穴９２の方向に向けて嵌め込んだ状態でマイク部４１の収音孔４１１と対向する位置になる。したがって、マイク用溝９１に嵌め込んだ小型マイクロホン４のマイク部４１の収音孔４１１は中央穴９２に対して露出する。
【００５６】
このような個別ユニット６を用いて小型マイクロホン４の校正を行う場合、図８ｃ１に示すように、個別ユニット６の上底部６２の下面の４つのマイク用溝９１にのそれぞれに、小型マイクロホン４を下面を中央穴９２の方向を向けて嵌め込み、小型マイクロホン４のケーブル４２を切欠６６を通して外部に引き出す。
【００５７】
そして、図８ｃ２に示すように、個別ユニット６の側部６１の内側に共通ユニット５の上部円筒部５１を嵌め込み、共通ユニット５と個別ユニット６を図８ｃ３に示すように一体化する。
【００５８】
そして、共通ユニット５の下部円筒部５２を、音響校正器１のソケット１１の第１窪部１１１に嵌挿して装着する。
この状態で音響校正器１のスピーカ１３から音響校正器１の内部空間１２に校正用の音を放射すると、音は、内部空間１２、ソケット１１の第１窪部１１１の下面の孔、共通ユニット５の第２窪部５４の下面の孔と第２窪部５４、個別ユニット６の中央穴９２と連絡孔９３を通って、小型マイクロホン４の収音孔４１１に到達し収音される。
【００５９】
なお、図８ａに示した個別ユニット６は、上底部６２の連絡孔９３の下に重なる部分を除去した溝である連絡溝を、連絡孔９３に代えて設けてもよい。
また、図８ａに示した個別ユニット６を、図７ａに示した第２窪部５４の下部の形状を口径１／４インチの円筒が嵌まり込む形状としたまま、上部の形状を上方に向かって拡がっていく形状とした共通ユニット５と組み合わせて用いてもよい。
【００６０】
以上、本発明の実施形態について説明した。
以上の実施形態では、共通ユニット５を用いて、口径１／２インチのマイクロホン用の音響校正器１に、口径１／４インチのマイクロホンを装着する場合について示したが、本実施形態は、任意の口径を第１の口径とし、第１の口径と異なる任意の口径を第２の口径として、第１の口径のマイクロホン用の音響校正器１に、第２の口径のマイクロホンを装着する場合に、同様に適用できる。この場合において、第２の口径は第１の口径より大きくてもよい。
【００６１】
以上のように、本実施形態によれば、小型マイクロホン４のような、非円筒形状のマイクロホンや、収音孔４１１の周囲にソケット１１に安定的に嵌挿できる構造がないマイクロホンについても、共通ユニット５と個別ユニット６で挟持した形態で、所定口径のマイクロホン用の音響校正器１に装着して、その校正を行う事ができる。また、所定口径のマイクロホン用の音響校正器１を用いて、異なる口径のマイクロホンの校正も行うことができる。
【符号の説明】
【００６２】
１…音響校正器、２…１／２インチマイクロホン、３…１／４インチマイクロホン、４…小型マイクロホン、５…共通ユニット、６…個別ユニット、１１…ソケット、１２…内部空間、１３…スピーカ、１４…第１のＯリング、４１…マイク部、４２…ケーブル、５１…上部円筒部、５２…下部円筒部、５３…鍔部、５４…第２窪部、５５…第２のＯリング、５６…孔、５７…ボールプランジャ、５８…第３のＯリング、６１…側部、６２…上底部、６３…溝、６４…凹部、６５…ケーブル用凹部、６６…切欠、９１…マイク用溝、９２…中央穴、９３…連絡孔、１１１…第１窪部、４１１…収音孔。
【図１】
2020020757.tif 000003
【図２】
2020020757.tif 000004
【図３】
2020020757.tif 000005
【図４】
2020020757.tif 000006
【図５】
2020020757.tif 000007
【図６】
2020020757.tif 000008
【図７】
2020020757.tif 000009
【図８】
2020020757.tif 000010